(57)【特許請求の範囲】
【請求項１】
少なくともターンテーブルとスレッドモータおよび光ピックアップが搭載されたドライブシャーシを備え、装置内に挿入された小径または大径のディスクを所定位置に位置決めした後、該ディスクを前記ターンテーブル上に搭載するディスクプレーヤにおいて、
前記ドライブシャーシに小径ディスクの外周縁と当接可能な係合ピンを有する昇降レバーを昇降可能に支持すると共に、前記スレッドモータの回転力を前記光ピックアップと前記昇降レバーとに選択的に伝達可能な動力伝達手段を設け、前記スレッドモータの回転力を前記動力伝達手段を介して前記光ピックアップに伝達することにより、該光ピックアップが前記ディスクの径方向に沿って往復移動するようになし、
前記スレッドモータを前記光ピックアップの移動限界位置でさらに回転することにより、該スレッドモータの回転力を前記動力伝達手段を介して前記昇降レバーに伝達し、該昇降レバーの上昇に伴って前記係合ピンを小径ディスクの挿入経路内に突出させ、挿入されたディスクが大径ディスクと判断された時には、前記昇降レバーを下降させて前記係合ピンを大径ディスクの挿入経路から退避させるように構成してあり、
挿入されたディスクの先端部に当接して回転するとともにトリガピンを有する第１トリガレバーと、この第１トリガレバーと重ねて配設され、前記第１トリガレバーの側端あるいは前記トリガピンと当接する係合突起を有し、該当接により回転する第２トリガレバーと、この第２トリガレバーの回転によって始動するローディング機構とを備え、
挿入されたディスクが小径ディスクと判断された時には、前記第２トリガレバーを前記昇降レバーに連動して上昇させて前記第１トリガレバーの側端と前記第２トリガレバーの係合突起とを係合状態として、前記第１トリガレバーと前記第２トリガレバーとを一体的に回転させ、一方、挿入されたディスクが大径ディスクと判断された時には、前記第２トリガレバーを前記昇降レバーに連動して下降させて前記第１トリガレバーと離反した状態とすることにより、前記第１トリガレバーが所定角度回転した後、前記第１トリガレバーのトリガピンが前記第２トリガレバーの係合突起と当接して共回りさせるようにしたことを特徴とするディスクプレーヤ。
【請求項２】
請求項１の記載において、前記動力伝達手段が前記光ピックアップに噛合するスクリューシャフトを有し、前記スレッドモータを前記光ピックアップの移動限界位置でさらに回転することにより、前記スクリューシャフトが前記光ピックアップに対して移動するように構成したことを特徴とするディスクプレーヤ。
【請求項３】
請求項２の記載において、前記ドライブシャーシに前記スクリューシャフトの一端部と対向する中継部材を移動可能に支持し、この中継部材と前記昇降レバーとをカム部を介して連結したことを特徴とするディスクプレーヤ。
【請求項４】
請求項１の記載において、前記ドライブシャーシにクランパを有するアームクランプを回転可能に支持し、このアームクランプに前記第１および第２トリガレバーを回転中心を同じにして軸支したことを特徴とするディスクプレーヤ。
【発明の詳細な説明】
【０００１】
【発明の属する技術分野】
本発明は、直径が異なる大小２種類のディスクのいずれか一方を挿入した場合に、挿入されたディスクを所定位置にセンタリングした後にチャッキングする位置決め機構を備えたディスクプレーヤに関する。
【０００２】
【従来の技術】
一般的にＣＤプレーヤには、直径１２ｃｍと直径８ｃｍの大小２種類のディスクが使用されるが、１台のＣＤプレーヤでこれら２種類のディスクを共に使用できるようにするためには、挿入されたディスクを所定のクランプ位置にセンタリングした後にチャッキングしてプレイ動作させる必要がある。その際、直径１２ｃｍの大径ディスクと直径８ｃｍの小径ディスクとではクランプ中心からディスク外周縁までの距離が相違するため、ディスクの外周縁を係合ピンに当接させてセンタリングする方式を採用した場合、大径ディスク用の係合ピンと小径ディスク用の係合ピンとを半径を異にする同心円上に配置し、挿入されたディスクの大きさに応じて小径ディスク用の係合ピンをディスク挿入経路内に選択的に出没させる切換え機構が必要となる。
【０００３】
このような切換え機構はできるだけ構成を簡略化することが望ましく、例えば特許第２８８７１８６号公報に開示されたディスクプレーヤでは、スレッドモータと光ピックアップとの間に動力伝達手段を介設し、通常の再生動作ではスレッドモータの駆動力を動力伝達手段を介して光ピックアップに伝達し、光ピックアップの移動限界位置でスレッドモータがさらに回転すると、動力伝達手段がロック部材を回転させてストッパ部材をロック位置に維持し、ストッパ部材に設けられた小径ディスク用の係合ピンをディスク挿入経路内に選択的にロックさせるようになっている。すなわち、上記動力伝達手段は引張りばねを介して一体的に連結したラック部材と固定部材等で構成されており、スレッドモータ側のギヤにラック部材を常時噛合させ、光ピックアップ側に固定部材を固定させているため、通常の再生動作では、スレッドモータの駆動力によってラック部材と固定部材が一体的に移動し、光ピックアップがディスクの半径方向へ移送される。一方、光ピックアップの移動限界位置でスレッドモータがさらに回転すると、光ピックアップと固定部材に対してラック部材が引張りばねに抗して移動するため、ラック部材によってロック部材を回動させることができる。
【０００４】
このように構成されたディスクプレーヤにおいては、ストッパ部材の係合ピンは大径ディスクの挿入時にディスク挿入経路から退避しており、大径ディスクはストッパ部材の係合ピンに当接することなく所定のクランプ位置にセンタリングされる。一方、小径ディスクの挿入時にストッパ部材は回動操作されて係合ピンをディスク挿入経路内に突出させると共に、スレッドモータの駆動力によって動力伝達手段がロック部材を回動させるため、ストッパ部材と係合ピンはロック位置に維持され、小径ディスクはその外周縁が係合ピンに当接することで所定のクランプ位置にセンタリングされる。
【０００５】
【発明が解決しようとする課題】
前述したような切換え機構を有する従来のディスクプレーヤにおいては、光ピックアップの移送用モータであるスレッドモータの駆動力を利用して動力伝達手段を動作させることにより、小径ディスク用の係合ピンをディスク挿入経路内に選択的にロックさせることができるため、専用のロック機構を用いた場合に比べると構成を簡略化することができる。しかしながら、動力伝達手段はストッパ部材をロック位置に維持するロック部材を回動させるだけであり、この動力伝達手段とは別系統の駆動源によってストッパ部材を回動操作する必要があるため、さらなる構成の簡略化という点で改善の余地があり、ロック部材とストッパ部材の動作タイミングを取りにくいという難点もあった。
【０００６】
本発明は、このような従来技術の実情に鑑みてなされたもので、その目的は、直径が異なる大小２種類のディスクを記録および／または再生可能なディスクプレーヤにおいて、小径ディスクの位置決め用係合ピンを極めて簡単な構成で動作させることのできるディスクプレーヤを提供することにある。
【０００７】
【課題を解決するための手段】
本発明は、スレッドモータと光ピックアップとの間に介設した動力伝達手段によって昇降レバーを昇降動作させ、この昇降レバーに設けた小径ディスク用の係合ピンをディスク挿入経路に対して出入させることとする。このように構成すると、光ピックアップが移動限界に達した後のスレッドモータのオーバーストローク力を利用して昇降レバーが昇降動作されるため、小径ディスク用の係合ピンを極めて簡単な構成でディスク挿入経路に対して出入させることができる。
【０００８】
【発明の実施の形態】
本発明のディスクプレーヤでは、少なくともターンテーブルとスレッドモータおよび光ピックアップが搭載されたドライブシャーシを備え、装置内に挿入された小径または大径のディスクを所定位置に位置決めした後、該ディスクを前記ターンテーブル上に搭載するディスクプレーヤにおいて、前記ドライブシャーシに小径ディスクの外周縁と当接可能な係合ピンを有する昇降レバーを昇降可能に支持すると共に、前記スレッドモータの回転力を前記光ピックアップと前記昇降レバーとに選択的に伝達可能な動力伝達手段を設け、前記スレッドモータの回転力を前記動力伝達手段を介して前記光ピックアップに伝達することにより、該光ピックアップが前記ディスクの径方向に沿って往復移動するようになし、前記スレッドモータを前記光ピックアップの移動限界位置でさらに回転することにより、該スレッドモータの回転力を前記動力伝達手段を介して前記昇降レバーに伝達し、該昇降レバーの上昇に伴って前記係合ピンを小径ディスクの挿入経路内に突出させ、挿入されたディスクが大径ディスクと判断された時には、前記昇降レバーを下降させて前記係合ピンを大径ディスクの挿入経路から退避させるように構成してあり、挿入されたディスクの先端部に当接して回転するとともにトリガピンを有する第１トリガレバーと、この第１トリガレバーと重ねて配設され、前記第１トリガレバーの側端あるいは前記トリガピンと当接する係合突起を有し、該当接により回転する第２トリガレバーと、この第２トリガレバーの回転によって始動するローディング機構とを備え、挿入されたディスクが小径ディスクと判断された時には、前記第２トリガレバーを前記昇降レバーに連動して上昇させて前記第１トリガレバーの側端と前記第２トリガレバーの係合突起とを係合状態として、前記第１トリガレバーと前記第２トリガレバーとを一体的に回転させ、一方、挿入されたディスクが大径ディスクと判断された時には、前記第２トリガレバーを前記昇降レバーに連動して下降させて前記第１トリガレバーと離反した状態とすることにより、前記第１トリガレバーが所定角度回転した後、前記第１トリガレバーのトリガピンが前記第２トリガレバーの係合突起と当接して共回りさせるようにした。
【０００９】
このように構成すると、通常の再生動作では、スレッドモータの回転力が動力伝達手段を介して光ピックアップに伝達され、光ピックアップの移動限界位置でスレッドモータがさらに回転すると、スレッドモータの回転力が動力伝達手段を介して昇降レバーに伝達されるため、該昇降レバーの上昇に伴って係合ピンが小径ディスクの挿入経路内に突出する。したがって、スレッドモータのオーバーストローク力を利用して昇降レバーが動作されるため、小径ディスク用の係合ピンを極めて簡単な構成でディスク挿入経路に対して出入させることができる。
また、挿入されたディスクの先端部に当接して回転するとともにトリガピンを有する第１トリガレバーと、この第１トリガレバーと重ねて配設され、前記第１トリガレバーの側端あるいは前記トリガピンと当接する係合突起を有し、該当接により回転する第２トリガレバーと、この第２トリガレバーの回転によって始動するローディング機構とを備え、挿入されたディスクが小径ディスクと判断された時には、前記第２トリガレバーを前記昇降レバーに連動して上昇させて前記第１トリガレバーの側端と前記第２トリガレバーの係合突起とを係合状態として、前記第１トリガレバーと前記第２トリガレバーとを一体的に回転させ、一方、挿入されたディスクが大径ディスクと判断された時には、前記第２トリガレバーを前記昇降レバーに連動して下降させて前記第１トリガレバーと離反した状態とすることにより、前記第１トリガレバーが所定角度回転した後、前記第１トリガレバーのトリガピンが前記第２トリガレバーの係合突起と当接して共回りさせるように構成すると、昇降レバーの昇降動作をディスクエンドのトリガ切換えにも利用することができ、全体構成をより簡略化することができる。この場合において、ドライブシャーシにクランパを有するアームクランプを回転可能に支持し、このアームクランプに第１および第２トリガレバーを回転中心を同じにして軸支することが好ましい。
【００１０】
上記の構成において、前述したラック部材と固定部材等で構成される既知の動力伝達手段を用いることも可能であるが、この動力伝達手段として光ピックアップに噛合するスクリューシャフトを用い、光ピックアップの移動限界位置でスレッドモータをさらに回転すると、スクリューシャフトが光ピックアップに対して移動するように構成することが、構成を簡略化する上でより好ましい。この場合において、スクリューシャフトで昇降レバーを直接動作させることも可能であるが、ドライブシャーシにスクリューシャフトの一端部と対向する中継部材を移動可能に支持し、この中継部材と昇降レバーとをカム部を介して連結すると、昇降レバーの昇降動作を円滑に行なうことができる。
【００１２】
【実施例】
実施例について図面を参照して説明すると、図１は実施例に係る車載用ディスクプレーヤの全体構成を示す斜視図、図２は該ディスクプレーヤに備えられるドライブユニットの斜視図、図３は動力伝達手段の説明図、図４は該動力伝達手段のカム部の説明図、図５は小径ディスク挿入時の要部斜視図、図６は大径ディスク挿入時の要部斜視図である。なお、実施例に係るディスクプレーヤは直径１２ｃｍと直径８ｃｍの大小２種類のディスクを共に使用可能であり、以下、直径１２ｃｍディスクを大径ディスク、直径８ｃｍのディスクを小径ディスクと称する。
【００１３】
図１と図２に示すように、前面に挿入口１ａを有する枠体１の内部にドライブユニット２が配置されており、ドライブユニット２は図示せぬ複数のダンパを介して枠体１に防振支持されている。このドライブユニット２はメインシャーシ３とドライブシャーシ４およびアームクランプ５等で構成されており、ドライブシャーシ４とアームクランプ５の後端側はそれぞれメインシャーシ３に回動可能に支持されている。このメインシャーシ３上にモータ６と減速ギヤ列７が搭載されており、モータ６の回転力は減速ギヤ列７を介してメインシャーシ３の先端側に軸支された駆動ローラ８に伝達される。また、メインシャーシ３上に欠歯ギヤ９がスライド可能に支持されており、この欠歯ギヤ９は減速ギヤ列７から離反する方向へ付勢されている。欠歯ギヤ９にはピン９ａが植設されており、後述するように、このピン９ａの押圧により欠歯ギヤ９が減速ギヤ列７に飛び込むと、モータ６の駆動力が駆動ローラ８を下降させたり、ドライブユニット２が枠体１に対してロック状態であったものを解除するロック解除機構に伝達されるようになっている。
【００１４】
前記ドライブシャーシ４上にターンテーブル１０と光ピックアップ１１およびスレッドモータ１２等が搭載されており、ターンテーブル１０は図示せぬスピンドルモータによって回転駆動される。光ピックアップ１１は動力伝達手段としてのスクリューシャフト１３に噛合しており、後述するように、スレッドモータ１２を駆動源としてスクリューシャフト１３が回転することにより、光ピックアップ１１はスクリューシャフト１３に沿ってディスクの半径方向へ移送される。また、ドライブシャーシ４は周囲に立壁４ａを有し、この立壁４ａの内側に平面視コ字状の昇降レバー１４が載置されている。昇降レバー１４の先端側には小径ディスクをセンタリングするための一対の係合ピン１４ａが植設されており、昇降レバー１４の後端側はドライブシャーシ４に回動可能に支持されている。さらに、ドライブシャーシ４上にはスライダ１５が載置されており、これら昇降レバー１４とスライダ１５はスレッドモータ１２を駆動源として動作されるようになっている。
【００１５】
すなわち、図３に示すように、スクリューシャフト１３の両端部は一対の軸受１６によって回転かつ軸線方向へ移動可能に支承されており、スレッドモータ１２を駆動源として回転する減速ギヤ列１７はスクリューシャフト１３に固着したギヤ１８と常時噛合している。また、スクリューシャフト１３の一端はスライダ１５の折曲部１５ａに当接しており、引張りばね１９によってスライダ１５とスクリューシャフト１３は矢印Ａ方向へ付勢されている。このスライダ１５の側部には図４に示すようなカム面１５ｂが形成されており、昇降レバー１４に形成された突出片１４ｂがこのカム面１５ｂと圧接するように付勢されている。
【００１６】
このような動力伝達手段（スクリューシャフト１３）を備えると、スレッドモータ１２の回転力が減速ギヤ列１７とギヤ１８を介してスクリューシャフト１３に伝達されるため、通常の再生動作では、回転するスクリューシャフト１３に沿って光ピックアップ１１がディスクの半径方向へ移送される。この場合、図４の（イ）で示すように、昇降レバー１４の突出片１４ｂはスライダ１５のカム面１５ｂの下段と係合しているため、昇降レバー１４は下降位置へ回動されてドライブシャーシ４の立壁４ａ内に収納される。これに対し、光ピックアップ１１が移動限界位置（例えば昇降レバー１４の後端に当接する位置）まで移送され、当該位置でスレッドモータ１２を駆動源としてスクリューシャフト１３が回転を続行すると、固定状態の光ピックアップ１１をメネジ部としてスクリューシャフト１３が軸受１６の軸線方向へ移動し、スクリューシャフト１３の一端がスライダ１５の折曲部１５ａを矢印Ｂ方向へ押圧する。その結果、スライダ１５がドライブシャーシ４上を前進し、図４の（ロ）で示すように、昇降レバー１４の突出片１４ｂがスライダ１５のカム面１５ｂの上段へと移行するため、昇降レバー１４はドライブシャーシ４の上昇位置へと回動される。
【００１７】
図１に戻り、前記アームクランプ５の先端側にクランパ２０が回転自在に支持されており、大径ディスクおよび小径ディスクはターンテーブル１０とクランパ２０との間にチャッキングされた状態でプレイ動作される。このアームクランプ５には大径ディスクをセンタリングするための一対の係合ピン５ａが垂設されると共に、第１トリガレバー２１と第２トリガレバー２２が共通の軸２３に回転可能に支持されている。これら両トリガレバー２１，２２は軸２３に沿って互いに離反する方向へ弾性付勢されており、第２トリガレバー２２はその弾性力を受けて昇降レバー１４に圧接されている。第１トリガレバー２１は大径ディスクおよび小径ディスクの外周縁に当接して回転動作され、この第１トリガレバー２１の回転が第２トリガレバー２２を介して欠歯ギヤ９のピン９ａに伝達されることにより、前述したように欠歯ギヤ９が減速ギヤ列７に飛び込むようになっている。ここで、第１トリガレバー２１の下面にトリガピン２１ａが垂設されると共に、第２トリガレバー２２の上面に係合突起２２ａが形成されており、両トリガレバー２１，２２が近接状態にあるときのみ、係合突起２２ａが第１トリガレバー２１の側端面と対向するようになっている。したがって、下降位置にある昇降レバー１４に伴って第２トリガレバー２２が第１トリガレバー２１から離反している場合、第２トリガレバー２２は第１トリガレバー２１が回転しても直ちに回転せず、第１トリガレバー２１のトリガピン２１ａが係合突起２２ａに当接した時点で回転を開始する。一方、昇降レバー１４の上昇動作に伴って第２トリガレバー２２が第１トリガレバー２１に接近している場合、第１トリガレバー２１の側端面が係合突起２２ａに対向しているため、第２トリガレバー２２は第１トリガレバー２１と一体的に回転する。
【００１８】
次に、上記の如く構成された車載用ディスクプレーヤの動作を説明すると、このディスクプレーヤは、大径および小径ディスクのいずれもが装填されていないイジェクト状態において、昇降レバー１４は前述したようにスレッドモータ１２を駆動源として上昇位置へ回動されている。すなわち、光ピックアップ１１が最外周へ移送されて昇降レバー１４の後端に当接し、この移動限界位置でスレッドモータ１２を駆動源としてスクリューシャフト１３が回転を続行することにより、スクリューシャフト１３が軸受１６の軸線方向へ移動してスライダ１５を前進させ、それに伴って昇降レバー１４がドライブシャーシ４の上昇位置へ回動されている。したがって、図５に示すように、昇降レバー１４の上昇に伴って一対の係合ピン１４ａがディスク挿入経路内に突出すると共に、第２トリガレバー２２が第１トリガレバー２１に接近している。
【００１９】
かかるイジェクト状態から直径８ｃｍの小径ディスクをプレイ動作する場合、挿入口１ａから小径ディスクをディスクプレーヤ内に挿入すると、この小径ディスクは駆動ローラ８の回転によって自動搬送され、その先端が第１トリガレバー２１に突き当たってこれを押圧する。この場合、昇降レバー１４の上昇に伴って第２トリガレバー２２が第１トリガレバー２１に接近しているため、第１トリガレバー２１と第２トリガレバー２２は係合突起２２ａを介して一体的に回転し、第２トリガレバー２２がピン９ａを押圧することにより、欠歯ギヤ９が減速ギヤ列７に飛び込んでモータ６の駆動力をロック解除機構に伝達する。このロック解除機構により、ドライブユニット２の枠体１に対するロック解除動作や、アームクランプ５を回動させるチャッキング動作等が行われるが、この時点で小径ディスクはその外周縁２個所が両係合ピン１４ａに当接して位置決めされているため、クランプ中心に正確にセンタリングされた状態でターンテーブル１０とクランパ２０との間にチャッキングされる。この状態でターンテーブル１０によって小径ディスクを回転駆動すると共に、スレッドモータ１２の逆転によって光ピックアップ１１を移動限界位置から内周側へ移動させた後、スレッドモータ１２を駆動源として光ピックアップ１１をスクリューシャフト１３に沿って小径ディスクの半径方向へ移送することにより、小径ディスクの再生動作が行われる。
【００２０】
一方、直径１２ｃｍの大径ディスクをプレイ動作する場合、大径ディスクを挿入口１ａからディスクプレーヤ内に挿入すると、まず、スレッドモータ１２が逆転してスライダ１５を後退させ、それに伴って昇降レバー１４を下降位置へ回動させた後にスレッドモータ１２は停止する。その結果、図６に示すように、昇降レバー１４の両係合ピン１４ａはディスク挿入経路の下方へ退避し、第２トリガレバー２２は第１トリガレバー２１から離反した状態となる。そして、駆動ローラ８の回転によって大径ディスクを自動搬送し、その先端が第１トリガレバー２１を押圧すると、この第１トリガレバー２１は第２トリガレバー２２の上方を所定角度だけ回転した後、トリガピン２１ａが係合突起２２ａに当接して第２トリガレバー２２を共回りさせる。すなわち、クランプ中心からディスク外周縁までの距離が長い大径ディスクの場合、第２トリガレバー２２は第１トリガレバー２１が回転しても直ちに回転せず、大径ディスクが第１トリガレバー２１の回転開始後もさらに所定量だけ搬送されてから、第２トリガレバー２２が回転を開始してピン９ａを押圧し、欠歯ギヤ９を減速ギヤ列７に飛び込ませてモータ６の駆動力をロック解除機構に伝達する。この時点で大径ディスクはその外周縁２個所が両係合ピン５ａに当接して位置決めされているため、クランプ中心に正確にセンタリングされた状態でターンテーブル１０とクランパ２０との間にチャッキングされる。以下、前述した小径ディスクの場合と同様にして、大径ディスクの再生動作が行われる。
【００２１】
【発明の効果】
本発明は、以上説明したような形態で実施され、以下に記載されるような効果を奏する。
【００２２】
直径が異なる大小２種類のディスクを記録および／または再生可能なディスクプレーヤにおいて、スレッドモータと光ピックアップとの間に介設した動力伝達手段によって昇降レバーを昇降動作させ、この昇降レバーに設けた小径ディスク用の係合ピンをディスク挿入経路に対して出入させるように構成すると、光ピックアップが移動限界に達した後のスレッドモータのオーバーストローク力を利用して昇降レバーが昇降動作されるため、小径ディスク用の係合ピンを極めて簡単な構成でディスク挿入経路に対して出入させることができる。また、挿入されたディスクが小径ディスクと判断された時には、第２トリガレバーを昇降レバーに連動して上昇させて第１トリガレバーの側端と第２トリガレバーの係合突起とを係合状態として、第１トリガレバーと第２トリガレバーとを一体的に回転させ、一方、挿入されたディスクが大径ディスクと判断された時には、第２トリガレバーを昇降レバーに連動して下降させて第１トリガレバーと離反した状態とすることにより、第１トリガレバーが所定角度回転した後、第１トリガレバーのトリガピンが第２トリガレバーの係合突起と当接して共回りさせるようにしたので、昇降レバーの昇降動作をディスクエンドのトリガ切換えにも利用することができ、全体構成をより簡略化することができる。
【図面の簡単な説明】
【図１】実施例に係る車載用ディスクプレーヤの全体構成を示す斜視図である。
【図２】該ディスクプレーヤに備えられるドライブユニットの斜視図である。
【図３】動力伝達手段の説明図である。
【図４】該動力伝達手段のカム部の説明図である。
【図５】小径ディスク挿入時の要部斜視図である。
【図６】大径ディスク挿入時の要部斜視図である。
【符号の説明】
１  枠体
１ａ  挿入口
２  ドライブユニット
３  メインシャーシ
４  ドライブシャーシ
５  アームクランプ
５ａ  係合ピン
６  モータ
７  減速ギヤ列
９  欠歯ギヤ
１０  ターンテーブル
１１  光ピックアップ
１２  スレッドモータ
１３  スクリューシャフト
１４  昇降レバー
１４ａ  係合ピン
１４ｂ  突出片
１５  スライダ
１５ｂ  カム面
１６  軸受
１７  減速ギヤ列
１８  ギヤ
１９  引張りばね
２０  クランパ
２１  第１トリガレバー
２１ａ  トリガピン
２２  第２トリガレバー
２２ａ  係合突起
【図１】
0003912970.tif 000002
【図２】
0003912970.tif 000003
【図３】
0003912970.tif 000004
【図４】
0003912970.tif 000005
【図５】
0003912970.tif 000006
【図６】
0003912970.tif 000007